(57)【要約】【課題】  窒素酸化物の除去機能の再生むらを軽減することができる窒素酸化物の除去方法を提供すること。【解決手段】気体中に含まれる窒素酸化物を除去する方法であって、窒素酸化物を吸着して除去する固体吸着剤を含む窒素酸化物吸着手段に、前記気体を供給することにより前記気体中に含まれる窒素酸化物を除去する除去工程と、前記除去工程によって低下した前記窒素酸化物吸着手段の前記窒素酸化物の除去機能を、再生剤供給管から再生剤を前記固体吸着剤に供給することによって、前記固体吸着剤が吸着した窒素酸化物を除去して再生する再生工程とを含み、前記再生剤が、再生剤供給管内で塩基性物質または還元性物質からなる溶質を溶媒に溶解することにより作液された窒素酸化物の除去方法とする。【選択図】    図２
2005230619.tif 000002
【特許請求の範囲】
【請求項１】
気体中に含まれる窒素酸化物を除去する方法であって、
窒素酸化物を吸着して除去する固体吸着剤を含む窒素酸化物吸着手段に、前記気体を供給することにより前記気体中に含まれる窒素酸化物を除去する除去工程と、
前記除去工程によって低下した前記窒素酸化物吸着手段の前記窒素酸化物の除去機能を、再生剤供給管から再生剤を前記固体吸着剤に供給することによって、前記固体吸着剤が吸着した窒素酸化物を除去して再生する再生工程とを含み、
前記再生剤が、再生剤供給管内で塩基性物質または還元性物質からなる溶質を溶媒に溶解することにより作液されたものであることを特徴とする窒素酸化物の除去方法。
【請求項２】
前記再生剤供給管が、前記溶質を溶解するための攪拌手段を備えたものであることを特徴とする請求項１に記載の窒素酸化物の除去方法。
【請求項３】
前記再生剤供給管が、前記攪拌手段よりも上流側に前記溶質を投入するための溶質投入手段を有するものであることを特徴とする請求項２に記載の窒素酸化物の除去方法。
【請求項４】
前記再生剤供給管が、前記溶質投入手段よりも上流側に溶質濃度を測定する濃度測定手段を有するものであることを特徴とする請求項３に記載の窒素酸化物の除去方法。
【請求項５】
窒素酸化物センサーにより前記除去機能を検知する検知工程を含み、前記検知工程において除去機能の低下が検知された場合に、前記再生工程を行うことを特徴とする請求項１から請求項４のいずれかに記載の窒素酸化物の除去方法。
【請求項６】
前記窒素酸化物吸着装置と前記再生剤を貯留する再生剤タンクとの間で、前記再生剤を循環させることを特徴とする請求項１から請求項５のいずれかに記載の窒素酸化物の除去方法。
【請求項７】
前記気体が、道路トンネル内、地下駐車場内、都市内幹線道路近傍のいずれかの大気が採取されたものであることを特徴とする請求項１から請求項６のいずれかに記載の窒素酸化物の除去方法。
【請求項８】
前記固体吸着剤が、炭素系材料であることを特徴とする請求項１から請求項７のいずれかに記載の窒素酸化物の除去方法。
【請求項９】
前記塩基性物質が、アルカリ金属の水酸化物またはアルカリ土類金属の水酸化物であることを特徴とする請求項１から請求項８のいずれかに記載の窒素酸化物の除去方法。
【請求項１０】
前記還元性物質が、亜硫酸塩であることを特徴とする請求項１から請求項８のいずれかに記載の窒素酸化物の除去方法。
【請求項１１】
気体中に含まれる窒素酸化物を除去する装置であって、
窒素酸化物を吸着して除去する固体吸着剤を含む窒素酸化物吸着手段と、
前記窒素酸化物吸着手段の窒素酸化物の除去機能が低下した場合に、再生剤供給管から再生剤を前記固体吸着剤に供給する再生剤供給手段とを備え、
前記再生剤が、再生剤供給管内で塩基性物質または還元性物質からなる溶質を溶媒に溶解することにより作液され、
前記固体吸着剤に吸着された窒素酸化物が前記再生剤によって除去されることにより、低下した前記除去機能が再生されることを特徴とする窒素酸化物の除去装置。
【請求項１２】
前記再生剤供給管が、前記溶質を溶解するための攪拌手段を備えたものであることを特徴とする請求項１１に記載の窒素酸化物の除去装置。
【請求項１３】
前記再生剤供給管が、前記攪拌手段よりも上流側に前記溶質を投入するための溶質投入手段を有するものであることを特徴とする請求項１２に記載の窒素酸化物の除去装置。
【請求項１４】
前記再生剤供給管が、前記溶質投入手段よりも上流側に溶質濃度を測定する濃度測定手段を有するものであることを特徴とする請求項１３に記載の窒素酸化物の除去装置。
【発明の詳細な説明】
【技術分野】
【０００１】
本発明は、気体中に含まれる窒素酸化物を除去する方法および窒素酸化物の除去装置に関し、特に、大気中に含まれる窒素酸化物を効率よく除去することができる窒素酸化物の除去方法および前記除去方法を行う場合に好適に使用することができる窒素酸化物の除去装置に関する。
【背景技術】
【０００２】
従来から、気体中の窒素酸化物を除去する方法として、ボイラーあるいはガスタービン、ガスエンジン等の発電設備の燃焼ガス中に含まれる窒素酸化物を除去するアンモニア脱硝方法や尿素脱硝方法がある。また、自動車排ガス中に含まれる窒素酸化物を除去する方法として、排ガス中に含まれる炭化水素を還元剤とし、窒素酸化触媒を除去する三元触媒系方法がある。上記の方法により排ガス中に含まれる窒素酸化物を除去する場合には、排ガスの有する数１００℃のエネルギーを利用して窒素酸化物を窒素ガスに還元して除去している。また、燃焼ガス中や排ガス中に含まれる窒素酸化物濃度は、一般に数１００ｐｐｍである。
【０００３】
燃焼ガスや排ガスに使用されている上記の窒素酸化物の除去方法を大気中に含まれる窒素酸化物の除去方法として応用する場合、大気中に含まれる窒素酸化物の濃度が低いために窒素酸化物を窒素ガスに還元する際の反応速度が遅いという問題が生じる。
【０００４】
また、大気中に含まれる窒素酸化物を除去する方法としては、アルカリ吸収液を用いるアルカリ吸収法（特許文献１）や、還元剤を用いる還元法、固体吸着剤を用いる吸着法（特許文献２）などがある。
【０００５】
しかしながら、アルカリ吸収法では、低濃度の窒素酸化物を吸収することは可能であるが、大気中に共存する二酸化炭素も窒素酸化物と同時に吸収してしまうため効率的に窒素酸化物を吸収できないという問題がある。また、還元法では、還元剤が大気中に共存する酸素によって酸化されてしまうため効率的に窒素酸化物を還元できないという問題がある。また、固体吸着法では、大気中に含まれる窒素酸化物の濃度が低い場合、固体吸着剤への窒素酸化物の吸着量が少なくても、固体吸着剤がすぐに吸着破過してしまうため、大気中に含まれる窒素酸化物を十分に吸着できないという問題がある。
【０００６】
さらに、上述した問題を解決するための窒素酸化物の除去方法として、固体吸着剤を含む窒素酸化物吸着手段に気体を供給することにより気体中に含まれる窒素酸化物を除去し、固体吸着剤が吸着した窒素酸化物を除去することにより窒素酸化物の除去機能が再生される方法（特許文献３）もある。
【０００７】
しかしながら、特許文献３に記載の方法では、再生剤が酸素などによって劣化してしまうため、再生剤の溶質として使用される塩基性物質または還元性物質のうち再生に寄与しない塩基性物質または還元性物質の量が多いことや、固体吸着剤に供給する際の再生剤中の溶質濃度が不安定であるなどの不都合があった。この不都合を解決する方法として、特許文献３に記載されているように、再生剤タンク内や窒素酸化物吸着装置内を窒素置換する方法があるが、窒素置換するための設備が必要となるため手間や費用がかかることや、再生剤の作液時における溶質濃度の安定性を向上させる効果が十分に得られないという問題があった。
【０００８】
また、一般に、再生剤の作液は、バケツなどの容器に溶質と溶媒とを入れて溶解する方法によって行われ、得られた再生剤は、バケツなどを用いて再生剤タンクに流し入れる方法によって再生剤タンクに供給される。また、通常、再生剤の作液作業や再生剤タンクへの再生剤の供給作業は、全て人力で行われている。このような作液作業および供給作業は、除去装置を使用する場合に定期的に行われるメンテナンス作業のひとつであり、多大な手間と時間を要するため、従来から、手間と時間を削減することが求められていた。
【０００９】
【特許文献１】特開平１０−２１１４２７号
【特許文献２】特開平１１−９９５７号
【特許文献３】特願２００２−２８５９０３号
【発明の開示】
【発明の効果】
【００１０】
本発明の窒素酸化物の除去方法および除去装置によれば、固体吸着剤を含む窒素酸化物吸着手段に気体を供給することにより気体中に含まれる窒素酸化物を除去し、固体吸着剤が吸着した窒素酸化物を除去することにより窒素酸化物の除去機能が再生されるので、気体中に含まれる窒素酸化物を効率よく除去することができる。しかも、再生剤が、再生剤供給管内で塩基性物質または還元性物質からなる溶質を溶媒に溶解することにより作液されたものであるので、再生剤の劣化を効果的に防ぐことができる。また、作液された再生剤は固体吸着剤に供給されるまでの間に空気に接触することがなく、固体吸着剤に供給される再生剤中の溶質濃度の安定性を向上させることができる。さらに、再生剤を再生剤タンクに流し入れる必要はないので、上述した従来の方法と比較して、メンテナンス作業の手間と時間を削減することができる。
【発明が解決しようとする課題】
【００１１】
本発明は、上述の問題を解決し、窒素酸化物の除去機能の再生むらを軽減することができる窒素酸化物の除去方法を提供することを課題としている。
【課題を解決するための手段】
【００１２】
上記の問題を解決するために、本発明の窒素酸化物の除去方法は、気体中に含まれる窒素酸化物を除去する方法であって、窒素酸化物を吸着して除去する固体吸着剤を含む窒素酸化物吸着手段に、前記気体を供給することにより前記気体中に含まれる窒素酸化物を除去する除去工程と、前記除去工程によって低下した前記窒素酸化物吸着手段の前記窒素酸化物の除去機能を、再生剤供給管から再生剤を前記固体吸着剤に供給することによって、前記固体吸着剤が吸着した窒素酸化物を除去して再生する再生工程とを含み、
前記再生剤が、再生剤供給管内で塩基性物質または還元性物質からなる溶質を溶媒に溶解することにより作液されたものであることを特徴とする。
【００１３】
この窒素酸化物の除去方法は、窒素酸化物の除去機能を再生する再生工程を含む方法であるので、以下に示すように、従来の窒素酸化物の除去方法における問題を解決することができ、気体中に含まれる窒素酸化物を効率よく除去することができる。
【００１４】
すなわち、この窒素酸化物の除去方法によれば、除去工程によって、固体吸着剤が窒素酸化物で吸着破過し、窒素酸化物の除去機能が低下しても、再生工程において窒素酸化物の除去機能が再生するので、固体吸着剤が窒素酸化物で吸着破過することによる問題は生じない。
また、固体吸着剤を含む窒素酸化物吸着手段に気体を供給することにより気体中に含まれる窒素酸化物を除去するので、窒素酸化物を含む気体中に二酸化炭素や酸素などのガスが共存していても共存するガスに起因する問題が生じることはない。
また、上記の窒素酸化物の除去方法によれば、窒素酸化物の濃度にかかわらず、窒素酸化物を効率よく除去することができる。したがって、上記の窒素酸化物の除去方法は、従来の窒素酸化物の除去方法では窒素酸化物を効率よく除去することが困難であった気体、例えば、道路トンネル内、地下駐車場内、都市内幹線道路近傍などの大気が採取された気体である場合にも好ましく適用できる。
【００１５】
また、本発明者らは、鋭意研究を重ねることにより、再生剤の溶質である塩基性物質または還元性物質の多くが、再生剤が作液されて再生剤タンクに供給されるまでの間に劣化されることを見い出した。さらに、溶質を溶媒に溶解する際や、再生剤を再生剤タンクに流し入れる際における空気との接触により、溶質が空気中の酸素によって酸化されてしまうことが、劣化の主な原因であることに着目し、本発明を見い出した。
すなわち、上記の窒素酸化物の除去方法によれば、再生剤が、再生剤供給管内で塩基性物質または還元性物質からなる溶質を溶媒に溶解することにより作液されたものであるので、溶質を溶媒に溶解している間に溶質が空気に接触することはないし、再生剤を再生剤タンクに流し入れる必要もない。したがって、再生剤の劣化を効果的に防ぐことができ、再生剤の劣化に起因する不都合を軽減することができる。
しかも、本発明によれば、再生剤供給管から再生剤を固体吸着剤に供給するので、作液された再生剤は固体吸着剤に供給されるまでの間に空気に接触することがなく、固体吸着剤に供給される再生剤中の溶質濃度の安定性を向上させることができる。
また、本発明によれば、再生剤を再生剤タンクに流し入れる必要はないので、上述した従来の方法と比較して、除去装置を使用する場合に定期的に行われるメンテナンス作業の手間と時間を削減することができる。
【００１６】
また、上記の窒素酸化物の除去方法においては、再生剤供給管が、前記溶質を溶解するための攪拌手段を備えたものである除去方法としてもよい。
このような窒素酸化物の除去方法とすることで、溶質を再生剤供給管内で効率よく溶解することができる。
【００１７】
また、上記の窒素酸化物の除去方法においては、再生剤供給管が、前記攪拌手段よりも上流側に前記溶質を投入するための溶質投入手段を有するものである除去方法としてもよい。
このような窒素酸化物の除去方法とすることで、再生剤供給管内で溶質をより一層効率よく溶解することができる。
【００１８】
また、上記の窒素酸化物の除去方法においては、再生剤供給管が、前記溶質投入手段よりも上流側に溶質濃度を測定する濃度測定手段を有するもの除去方法としてもよい。
このような窒素酸化物の除去方法とすることで、溶質を投入する前に、濃度測定手段の測定値より適切な投入量を算出することが可能となる。
【００１９】
また、上記の窒素酸化物の除去方法においては、窒素酸化物センサーにより前記除去機能を検知する検知工程を含み、前記検知工程において除去機能の低下が検知された場合に、前記再生工程を行う除去方法としてもよい。
このような窒素酸化物の除去方法とすることで、所定の水準以上の窒素酸化物の除去機能を確保することができ、窒素酸化物を除去した後に得られる気体の品質を向上させることができる。
【００２０】
また、上記の窒素酸化物の除去方法においては、前記窒素酸化物吸着装置と前記再生剤を貯留する再生剤タンクとの間で、前記再生剤を循環させてもよい。
このような窒素酸化物の除去方法とすることで、窒素酸化物吸着装置と再生剤タンクとの間で再生剤を循環させるだけで、容易に再生工程を行うことができるものとなり、より一層効率よく気体中に含まれる窒素酸化物を除去することができる。
【００２１】
さらに、上記の窒素酸化物の除去方法においては、前記除去工程の前に、前記気体中に含まれる窒素酸化物を、二酸化窒素、三酸化二窒素、四酸化二窒素、五酸化二窒素のいずれかにする前処理工程を含む除去方法としてもよい。
二酸化窒素、三酸化二窒素、四酸化二窒素、五酸化二窒素は、いずれも一酸化窒素と比較して固体吸着剤に吸着されやすい。したがって、上記の前処理工程を含む窒素酸化物の除去方法とすることで、たとえ、気体中に含まれる窒素酸化物に一酸化窒素が含まれていたとしても、一酸化窒素が含まれていない場合と同様に、効率よく気体中に含まれる窒素酸化物を除去することが可能となる。
【００２２】
また、上記の窒素酸化物の除去方法においては、前記窒素酸化物吸着手段に供給される前記気体が、湿度を含むことが望ましい。
気体中に水が含まれていると、固体吸着剤の表面で窒素酸化物の水和反応が生じ、窒素酸化物が亜硝酸または硝酸となる。このため、固体吸着剤による窒素酸化物の吸着量が増大し、窒素酸化物が固体吸着剤により一層吸着されやすくなり、より一層効率よく気体中に含まれる窒素酸化物を除去することができる。
【００２３】
さらに、上記の窒素酸化物の除去方法においては、前記固体吸着剤が、炭素系材料であることが望ましい。
このような窒素酸化物の除去方法とすることで、固体吸着剤が、大きな比表面積を有するものとなるので、窒素酸化物が固体吸着剤により一層吸着されやすくなり、より一層効率よく気体中に含まれる窒素酸化物を除去することができる。
特に、固体吸着剤として好ましく適用される大きな比表面積を有する炭素系材料の一例として、活性炭を挙げることができる。
【００２４】
さらに、上記の窒素酸化物の除去方法においては、前記塩基性物質が、アルカリ金属の水酸化物またはアルカリ土類金属の水酸化物であることが望ましい。
強塩基性物質であるアルカリ金属の水酸化物またはアルカリ土類金属の水酸化物は、固体吸着剤の吸着した窒素酸化物を効率良く除去することができる。このため、塩基性物質をアルカリ金属の水酸化物またはアルカリ土類金属の水酸化物とすることで、より一層効率よく再生工程を行うことができ、より一層効率よく気体中に含まれる窒素酸化物を除去することができる。
【００２５】
また、上記の窒素酸化物の除去方法においては、前記還元性物質が、亜硫酸塩であることが望ましい。
亜硫酸塩は、常温でも効率よく窒素酸化物を窒素ガスまで還元することができる。このため、還元性物質を亜硫酸塩とすることで、より一層効率よく再生工程を行うことができ、より一層効率よく気体中に含まれる窒素酸化物を除去することができる。
【００２６】
また、上記の窒素酸化物の除去方法においては、再生剤が還元性物質を含む場合には、除去機能を窒素雰囲気で再生することが望ましい。
このような窒素酸化物の除去方法とすることで、還元性物質が酸素などによって劣化することをより一層効果的に防ぐことができ、再生剤の寿命を長くすることができる。
【００２７】
さらに、上記の問題を解決するために、本発明の窒素酸化物の除去装置は、気体中に含まれる窒素酸化物を除去する装置であって、窒素酸化物を吸着して除去する固体吸着剤を含む窒素酸化物吸着手段と、前記窒素酸化物吸着手段の窒素酸化物の除去機能が低下した場合に、再生剤供給管から再生剤を前記固体吸着剤に供給する再生剤供給手段とを備え、前記再生剤が、再生剤供給管内で塩基性物質または還元性物質からなる溶質を溶媒に溶解することにより作液され、前記固体吸着剤に吸着された窒素酸化物が前記再生剤によって除去されることにより、低下した前記除去機能が再生されることを特徴とする。
このような窒素酸化物の除去装置は、上述した窒素酸化物の除去方法を行う場合に好適に使用することができ、気体中に含まれる窒素酸化物を効率よく除去することができ、しかも、再生剤の劣化を効果的に防ぐことができる。また、固体吸着剤に供給される再生剤中の溶質濃度の安定性を向上させることができる。
さらに、メンテナンス作業の容易な除去装置とすることができる。
【００２８】
また、上記の窒素酸化物の除去装置においては、再生剤供給管が、前記溶質を溶解するための攪拌手段を備えたものとしてもよい。
このような窒素酸化物の除去装置とすることで、溶質を再生剤供給管内で効率よく溶解することができるものとなる。
【００２９】
また、上記の窒素酸化物の除去装置においては、再生剤供給管が、前記攪拌手段よりも上流側に前記溶質を投入するための溶質投入手段を有するものとしてもよい。
このような窒素酸化物の除去装置とすることで、再生剤供給管内で溶質をより一層効率よく溶解することができるものとなる。
【００３０】
また、上記の窒素酸化物の除去装置においては、再生剤供給管が、前記溶質投入手段よりも上流側に溶質濃度を測定する濃度測定手段を有するものとしてもよい。
このような窒素酸化物の除去装置とすることで、溶質を投入する前に、濃度測定手段の測定値より適切な投入量を算出することが可能なものとなる。
【発明を実施するための最良の形態】
【００３１】
以下、図面を参照して本発明を詳細に説明する。
図1および図２は、本発明の窒素酸化物の除去方法の一例を説明するためのフローチャートである。また、図３は、本発明の窒素酸化物の除去装置の一例を説明するための概略図である。また、図４は、図３に示された窒素酸化物の除去装置を構成する再生剤供給管の内部構造を説明するための概略図である。
【００３２】
まず、本発明の窒素酸化物の除去装置について詳細に説明する。
図３および図４に示す窒素酸化物の除去装置は、窒素酸化物を除去するために採取された大気を窒素酸化物酸化装置２に供給する供給ライン１と、窒素酸化物酸化装置２と、窒素酸化物吸着装置（特許請求の範囲における「窒素酸化物吸着手段」に相当する。）４に窒素酸化物酸化装置２を通過した大気を供給する大気供給ライン３と、窒素酸化物を吸着する窒素酸化物吸着装置４と、窒素酸化物吸着装置４を通過した大気を浄化大気として放出する大気排出ライン５とを備えている。
【００３３】
また、図３に示す大気排出ライン５中には、窒素酸化物センサーが設置されている。窒素酸化物センサーは、窒素酸化物吸着装置４の窒素酸化物の除去機能を検知するものであって、大気排出ライン５から放出される浄化大気の窒素酸化物の濃度を管理するものである。さらに、図３に示す窒素酸化物の除去装置には、再生剤を貯留する再生剤タンク６と、再生剤タンク６から窒素酸化物吸着装置４に再生剤を供給する再生剤供給ライン７と、窒素酸化物吸着装置４から再生剤タンク６に窒素酸化物吸着装置４を通過した再生剤を戻す再生剤戻りライン８とを有する再生剤供給手段が備えられ、再生剤が、再生剤タンク６と窒素酸化物吸着装置４との間で、再生剤供給ライン７および再生剤戻りライン８を介して循環できるようになっている。
【００３４】
そして、図３および図４に示す窒素酸化物の除去装置は、窒素酸化物センサーが所定濃度以上の濃度を検知した場合に、窒素酸化物吸着装置４の窒素酸化物の除去機能が再生されるようになっている。
【００３５】
供給ライン１は、窒素酸化物酸化装置２に大気を供給し得る構造のものであればいかなるものであってもよく、特に限定されない。また、供給ライン１には、必要に応じて、窒素酸化物吸着装置４の目づまりなどを防止する集塵装置や窒素酸化物酸化装置２に供給する大気の流速や流量を制御する装置などが取り付けられる。
【００３６】
窒素酸化物酸化装置２は、大気に含まれる窒素酸化物を酸化することにより、大気に含まれる窒素酸化物を二酸化窒素、三酸化二窒素、四酸化二窒素、五酸化二窒素のいずれかにする前処理工程を行うものである。窒素酸化物酸化装置２の形態は特に限定されないが、低濃度の窒素酸化物を効果的に酸化することができるオゾン発生による酸化装置であることが好ましい。
【００３７】
窒素酸化物吸着装置４は、窒素酸化物を吸着させるものであり、窒素酸化物を吸着する固体吸着剤４ａを容器内に充填してなる充填層が用いられる。固体吸着剤４ａは、圧力損失を低くおさえる観点から、数ｍｍ〜数ｃｍの破砕粒子や成型粒子、またはハニカム構造の粒子であることが好ましい。さらに、固体吸着剤４ａは、低濃度の窒素酸化物を効率良く吸着する観点から、比表面積が大きいことが好ましい。また、窒素酸化物吸着装置４に使用される固体吸着剤４ａの種類は、１種類でもよいが２種類以上併用してもよい。固体吸着剤４ａを構成する材料としては、炭素系材料や無機系材料などを例示できる。炭素系材料としては、やしがら活性炭、ピッチ系活性炭、炭素繊維、木炭、フラーレン、カーボンナノチューブなどを例示できる。無機系材料としては、活性白土、アルミナ、ゼオライト、シリカ、マグネシア、チタニアなどを例示できる。中でも特に好ましい固体吸着剤４ａとして、活性炭など大きな比表面積を有する炭素系材料が挙げられる。
【００３８】
また、固体吸着剤４ａを充填する容器は、大気の漏洩がなく、固体吸着剤４ａからの体圧や、固体吸着剤４ａを洗浄・再生する際に使用される再生剤の液圧に耐え得る構造のものであればいかなるものであってもよく、特に限定されない。さらに、固体吸着剤４ａを充填する容器の材質も特に限定されず、軟鋼、ステンレス鋼、ＦＲＰ、ＰＣＶなどが例示できる。
【００３９】
また、再生剤供給手段は、図４に示すように、再生剤供給ライン７に接続された再生剤供給管７３を備えている。再生剤供給管７３は、固体吸着剤４ａに再生剤を供給するものであり、攪拌手段７４と、攪拌手段よりも上流側に設けられた溶質投入手段７５と、前記溶質投入手段７５よりも上流側に設けられた濃度測定センサー（特許請求の範囲における「濃度測定手段」に相当する。）７６とを有し、再生剤供給管７３内で塩基性物質または還元性物質からなる溶質を溶解することにより再生剤を作液しうるものである。再生剤供給管７３内は、図示しないポンプなどを用いて再生剤が圧送されることにより、図４に示す矢印の方向に所定の流速および流量で再生剤が流されるようになっている。
【００４０】
攪拌手段７４は、溶質を溶媒に溶解するためのものであり、軸７４ａと軸の周りを回転する回転翼７４ｂとを備えたものである。また、濃度測定センサー７６は、溶質濃度を測定するものであり、溶質濃度を測定することが可能であれば、いかなるものであってよく、とくに限定されない。
溶質投入手段７５は、溶質を投入するためのものであり、溶質投入口７５ａと、投入量制御装置７５ｂとを備えている。溶質投入口７５ａは、必要に応じて開閉可能な蓋を備えたものである。また、投入量制御装置７５ｂは、固体吸着剤４ａに供給される再生剤の溶質濃度が所定の濃度となるように、溶質投入口７５ａから適切な投入量が投入されるように制御するものである。投入量制御装置７５ｂには、溶質を劣化させることなく貯留できる貯留容器（図示略）と、所定量の溶質を量り取ることができる質量測定手段（図示略）と、コンピュータ装置（図示略）とが設けられ、濃度測定センサー７６によって測定された溶質濃度の測定値に基づいてコンピュータ装置に算出させて得られる適切な投入量を、量り取って溶質投入口７５ａに供給できるようになっている。
【００４１】
また、再生剤供給管７３を形成する材料としては、特に限定されず、銅や軟鋼、ステンレス鋼などの金属や、ＦＲＰ、ＰＣＶなどが例示できる。また、再生剤供給管７３は、径が１５〜５０ｍｍのものが好ましく、洗浄・再生する際の再生剤の液圧などによって決定される。例えば、再生剤を６．６×１０−４ｍ３／ｓで供給する場合には、径が４０〜５０ｍｍ程度のものが好ましく使用できる。
【００４２】
また、図３に示す窒素酸化物の除去装置では、窒素酸化物を効果的に吸着するために、大気供給ライン３を介して供給された大気の湿度が、好ましくは４０％以上、より好ましくは６０％以上、さらに好ましくは８０％以上となるようにされている。窒素酸化物吸着装置４に供給される大気の湿度は、いかなる方法および装置を用いて制御されていてもよく、例えば、大気に水を噴霧するなどして湿度を上昇させる方法などが好適に使用できる。
【００４３】
さらに、図3に示す窒素酸化物の除去装置では、窒素酸化物を効率よく吸着するために、制御装置９を用いて制御することにより、窒素酸化物吸着装置４に供給される大気の空間速度が、１０００〜２０００００ｈ−１、より好ましくは３０００〜１０００００ｈ−１となるようにされている。窒素酸化物吸着装置４に供給される大気の空間速度は、除去すべき大気の窒素酸化物の濃度や、固体吸着剤４ａの種類、窒素酸化物吸着装置４の大きさなどに応じて決定される。なお、制御装置９は、窒素酸化物吸着装置４に供給される大気の空間速度を制御できるものであればいかなるものであってもよく、特に限定されない。
【００４４】
窒素酸化物吸着装置４は、固体吸着剤４ａが窒素酸化物で吸着破過することによって徐々に窒素酸化物の除去機能が低下する。しかし、図3に示す窒素酸化物の除去装置では、吸着破過した固体吸着剤４ａから再生剤を用いて窒素酸化物を除去することにより、窒素酸化物吸着装置４が再生される。再生剤としては、塩基性物質または還元性物質を含む水溶液が使用される。
【００４５】
塩基性物質としては、特に限定されないが、アルカリ金属水酸化物、アルカリ土類水酸化物、アルカリ金属炭酸塩、アルカリ土類金属炭酸塩などを挙げることができ、固体吸着剤の吸着した窒素酸化物を効率良く除去する観点から、強塩基性物質であるアルカリ金属水酸化物やアルカリ土類水酸化物が特に好ましく使用される。
【００４６】
アルカリ金属水酸化物としては、水酸化リチウム、水酸化ナトリウム、水酸化カリウムなどを例示できる。アルカリ土類水酸化物としては、水酸化カルシウム、水酸化マグネシウムなどを例示できる。アルカリ金属炭酸塩としては、炭酸リチウム、炭酸ナトリウム、炭酸カリウムを例示できる。アルカリ土類金属炭酸塩としては、炭酸カルシウム、炭酸マグネシウムを例示できる。
【００４７】
また、還元性物質としては、特に限定されないが、亜硫酸塩、チオ硫酸塩、水素化物、硫化水素、アルデヒド類などを挙げることができ、常温で窒素酸化物を窒素ガスまで還元する観点から、亜硫酸塩を用いることが好ましい。
【００４８】
亜硫酸塩としては、亜硫酸リチウム、亜硫酸ナトリウム、亜硫酸カリウム、亜硫酸カルシウム、亜硫酸マグネシウム、亜硫酸鉄、亜硫酸銅などを例示できる。チオ硫酸塩としては、チオ硫酸リチウム、チオ硫酸ナトリウム、チオ硫酸カリウム、チオ硫酸カルシウム、チオ硫酸マグネシウムなどを例示できる。水素化物としては、水素化ホウ素ナトリウム、水素化アルミリチウムなどを例示できる。アルデヒド類としては、ホルムアルデヒド、アセトアルデヒドなどを例示できる。
【００４９】
なお、再生剤として還元性物質を用いる場合は、還元性物質が酸素などによって劣化することを防ぐために、再生剤タンク６を窒素置換しておくことが望ましい。さらに、窒素酸化物吸着装置４を再生する際には、再生剤タンク６だけでなく窒素酸化物吸着装置４も窒素置換しておくことが好ましい。
【００５０】
再生剤は、窒素酸化物吸着装置４に供給される大気中の窒素酸化物の種類や量、再生剤の濃度などを考慮して調製することによって、１回または複数回使用することが可能なものとされる。
【００５１】
次に、このような窒素酸化物の除去装置を用いて、大気中に含まれる窒素酸化物を除去する方法について詳細に説明する。
以下に説明する方法によって窒素酸化物が除去される窒素酸化物を含む大気としては、特に限定されないが、例えば、数ｐｐｍ以下の窒素酸化物濃度が問題となっている道路トンネル内や地下駐車場内から採取される大気、あるいは都市幹線道路近傍などから採取される大気などが挙げられる。また、窒素酸化物を含む大気としては、湿度が６０％以上、より好ましくは８０％以上であることが望ましい。
【００５２】
このような窒素酸化物を含む大気中に含まれる窒素酸化物を除去するには、まず、図１に示すように、窒素酸化物を含む大気が、大気供給ライン１を介して窒素酸化物酸化装置２に供給（Ｓ１）され、大気中の窒素酸化物が、前処理工程において、二酸化窒素、三酸化二窒素、四酸化二窒素、五酸化二窒素のいずれかとされる。ついで、窒素酸化物酸化装置２を通過した大気が、大気供給ライン３を介して窒素酸化物吸着装置４に供給（Ｓ３）され、大気中の窒素酸化物が固体吸着剤４ａに吸着されて除去（特許請求の範囲における「除去工程」に相当する（Ｓ４）。）される。そして、窒素酸化物吸着装置４を通過した大気が、大気排出ライン５を介して浄化大気として放出（Ｓ６）される。
【００５３】
このとき、大気排出ライン５中に設置されている窒素酸化物センサーにより所定濃度以上の窒素酸化物が検知（特許請求の範囲における「検知工程」に相当する（Ｓ５）。）されると、大気供給ライン１からの窒素酸化物を含む大気の供給が遮断（Ｓ７）され、大気の供給を遮断したままの状態で、以下に示す窒素酸化物吸着装置４の再生（特許請求の範囲における「再生工程」に相当する（Ｓ８）。）が行われる。
【００５４】
図２に示すように、窒素酸化物吸着装置４を再生するには、まず、ポンプなどを用いて再生剤タンク６から再生剤供給ライン７を介して所定の流速および流量で再生剤供給管７３に１回または複数回使用された再生剤または溶媒を供給し、濃度測定センサー７６によって溶質濃度を測定（Ｓ８１）する。ついで、濃度測定センサー７６によって得られた溶質濃度の測定値に基づいて、投入量制御装置７５ｂのコンピュータ装置に算出させて得られる適切な投入量を、投入量制御装置７５ｂが量り取って溶質投入口７５ａに供給する。そして、溶質投入口７５ａから再生剤供給管７３に適切な投入量の溶質が投入（Ｓ８２）され、攪拌手段７４の回転翼７４ｂの回転によって再生剤供給管７３内が攪拌され、溶質が溶解（Ｓ８３）し、再生剤が作液される。
【００５５】
続いて、図２に示すように、再生剤供給管７３から窒素酸化物吸着装置４に再生剤を供給（Ｓ８４）し、固体吸着剤４ａから窒素酸化物を除去（Ｓ８５）する。再生剤による窒素酸化物の除去は、固体吸着剤４ａに再生剤供給管７３から再生剤を散布する方法や、窒素酸化物吸着装置４内で固体吸着剤４ａを再生剤中に浸漬する方法などによって行われる。
続いて、使用済みの再生剤を、再生剤戻りライン８を介して固体吸着剤４ａの再生剤タンク６に戻す（Ｓ８４）ことにより、窒素酸化物吸着装置４の再生が終了する。
【００５６】
このようにして、窒素酸化物吸着装置４の再生が終了すると、図１に示すように、大気供給ライン１からの窒素酸化物を含む大気の供給が再開（Ｓ９）される。そして、窒素酸化物を含む全ての大気が浄化大気として放出されるまで、上記の工程が繰り返され、窒素酸化物を含む全ての大気についての窒素酸化物の除去が終了する。
【００５７】
このような窒素酸化物の除去方法および除去装置によれば、固体吸着剤４ａを含む窒素酸化物吸着装置４に気体を供給することにより気体中に含まれる窒素酸化物を除去し、固体吸着剤４ａが吸着した窒素酸化物を除去することにより窒素酸化物の除去機能が再生されるので、気体中に含まれる窒素酸化物を効率よく除去することができる。
【００５８】
しかも、再生剤が、再生剤供給管７３で塩基性物質または還元性物質からなる溶質を溶媒に溶解することにより作液されたものであるので、溶質を溶媒に溶解している間に溶質が空気に接触することはないし、再生剤を再生剤タンク６に流し入れる必要もない。したがって、再生剤の劣化を効果的に防ぐことができ、再生剤の劣化に起因する不都合を軽減することができる。
また、再生剤供給管７３から再生剤を固体吸着剤４ａに供給するので、作液された再生剤は固体吸着剤４ａに供給されるまでの間に空気に接触することがなく、固体吸着剤４ａに供給される再生剤中の溶質濃度の安定性を向上させることができる。
さらに、本発明によれば、再生剤を再生剤タンク６に流し入れる必要はないので、上述した従来の方法と比較して、除去装置を使用する場合に定期的に行われるメンテナンス作業の手間と時間を削減することができる。
【００５９】
また、上記の窒素酸化物の除去方法および除去装置においては、再生剤供給管７３が、溶質を溶解するための攪拌手段７４と、攪拌手段よりも上流側に設けられた溶質投入手段７５と、溶質投入手段７５よりも上流側に設けられた濃度測定センサー７６とを備えているので、溶質を投入する前に、濃度測定センサー７６の測定値に基づく適切な投入量を算出することが可能となるとともに、溶質を再生剤供給管７３内で効率よく溶解することができ、固体吸着剤４ａに供給される再生剤の溶質濃度を確実に所定の濃度とすることができる。よって、上述した従来の方法と比較して、メンテナンス作業が非常に用意となる。
【００６０】
また、本発明の窒素酸化物の除去方法および除去装置においては、上述した例に示したように、窒素酸化物センサーにより所定濃度以上の窒素酸化物が検知された場合に窒素酸化物吸着装置４の再生を行うものとしてもよいが、所定の期間毎に行うものとしてもよい。例えば、本発明の窒素酸化物の除去方法および除去装置を長期にわたって連続して適用する場合など、メンテナンスのしやすさなどを考慮して、１日１回あるいは、１週間に１回などの周期で再生するようにしてもよい。
【００６１】
また、本発明の窒素酸化物の除去方法および除去装置においては、窒素酸化物吸着装置が複数設けられていてもよい。図５は、２つの窒素酸化物吸着装置が設けられている窒素酸化物の除去装置の一例を示した概略図である。なお、図５に示す窒素酸化物の除去装置は、図3に示す窒素酸化物の除去装置と、窒素酸化物吸着装置４１、４３とその周辺部分のみ異なるものであるので、図５においては、窒素酸化物吸着装置４１、４３とその周辺部分以外の部分を省略して示している。
【００６２】
図５に示す窒素酸化物の除去装置は、窒素酸化物を除去する領域Ａと、窒素酸化物吸着装置を再生する領域Ｂ、Ｃとを備えている。窒素酸化物を除去する領域Ａに配置され、支持部材４５に支持された窒素酸化物吸着装置４３には、大気供給ライン３１から大気が供給される。そして、窒素酸化物吸着装置４３を通過した大気が大気排出ライン５１から放出されるようになっている。また、窒素酸化物吸着装置を再生する領域Ｂに配置され、窒素酸化物吸着装置４３と連結部材４４によって連結され一体化された窒素酸化物吸着装置４１には、再生剤タンク６１から再生剤供給ライン７１を介して再生剤が供給され、窒素酸化物吸着装置４１を通過した再生剤が再生剤戻りライン８１を介して再生剤タンク６１に戻されるようになっている。
また、窒素酸化物吸着装置４３を再生する場合には、窒素酸化物吸着装置４３が矢印Ｄの方向に移動して窒素酸化物吸着装置を再生する領域Ｃに配置されると同時に、窒素酸化物吸着装置４１が窒素酸化物を除去する領域Ａに配置される。なお、図５においては、領域Ｃに配置された窒素酸化物吸着装置４３を点線で示すとともに、符号４２で示している。また、窒素酸化物吸着装置４２には、再生剤タンク６２から再生剤供給ライン７２を介して再生剤が供給され、窒素酸化物吸着装置４２を通過した再生剤が再生剤戻りライン８２を介して再生剤タンク６２に戻されるようになっている。
【００６３】
図５に示す窒素酸化物の除去装置を用いて窒素酸化物を除去する場合、窒素酸化物吸着装置４３が窒素酸化物を除去している間に、窒素酸化物吸着装置４１が再生される。また、窒素酸化物吸着装置４１が窒素酸化物を除去している間に、窒素酸化物吸着装置４３が再生される。
このように、窒素酸化物吸着装置が複数設けられている場合、複数の窒素酸化物吸着装置のうちの少なくとも１つが窒素酸化物を除去している間に、他の窒素酸化物吸着装置を再生することができ、窒素酸化物の除去と再生とを同時に行うことができるので、連続的に効率よく窒素酸化物の除去を行うことができる。なお、窒素酸化物吸着装置が複数設けられている場合の再生剤供給手段の設置数は、図５に示す例のように、複数であってもよいし、１つであってもよい。また、複数の窒素酸化物吸着装置は、図５に示す例のように、連結されていてもよいが、連結されていなくてもよく、窒素酸化物を除去する領域と、窒素酸化物吸着装置を再生する領域との間を、それぞれが個別に移動可能とされていてもよい。
【００６４】
さらに、窒素酸化物吸着装置４が小型の場合には、固体吸着剤をカセット化して取り外し可能なものとすることで、カセット化された固体吸着剤を取り外して再生剤中に浸漬させる方法により、固体吸着剤の窒素酸化物を除去できるものとしてもよい。また、固体吸着剤をカセット化して取り外し可能なものとすることで、固体吸着剤を交換する必要が生じた場合に、容易に固体吸着剤を交換できるものとなる。
【００６５】
また、上述した例に示したように、再生剤供給管７３を構成する攪拌手段７４や、溶質投入手段７５、濃度測定センサー７６は、再生剤供給管７３の水平方向に延びる部分に設けることができるが、再生剤供給管７３内で塩基性物質または還元性物質からなる溶質を溶解することにより再生剤を作液することができれば、再生剤供給管７３の水平方向に延びる部分に設けなくてもよく、例えば、再生剤供給管７３の鉛直方向に延びる部分に設けてもよい。
【００６６】
さらに、上述した例に示したように、窒素酸化物を含む大気は、窒素酸化物酸化装置２を通過した後、窒素酸化物吸着装置４に供給されることが望ましいが、窒素酸化物を含む大気における窒素酸化物の除去率が低くても問題ない場合や、気体中に含まれる窒素酸化物が、二酸化窒素、三酸化二窒素、四酸化二窒素、五酸化二窒素から選ばれる一種以上からなる場合には、大気供給ライン１が大気供給ライン３に直接接続され、窒素酸化物酸化装置２を介することなく窒素酸化物を含む大気が窒素酸化物吸着装置４に供給されるようになっていてもよい。
【００６７】
また、上述した例に示したように、本発明は、大気中に含まれる窒素酸化物を除去する際に好ましく適用することができるが、本発明において、窒素酸化物が除去される気体は大気でなくてもよく、特に限定されない。
【図面の簡単な説明】
【００６８】
【図１】本発明の窒素酸化物の除去方法の一例を説明するためのフローチャートである。
【図２】本発明の窒素酸化物の除去方法の一例を説明するためのフローチャートである。
【図３】本発明の窒素酸化物の除去装置の一例を説明するための概略図である。
【図４】図３に示された窒素酸化物の除去装置を構成する再生剤供給管の内部構造を説明するための概略図である。
【図５】本発明の窒素酸化物の除去装置の他の例を説明するための概略図である。
【符号の説明】
【００６９】
１    大気供給ライン
２    窒素酸化物酸化装置
３、３１    大気供給ライン
４、４１、４２、４３  窒素酸化物吸着装置
４ａ  固体吸着剤
４４  連結部材
４５  支持部材
５、５１    大気排出ライン
６、６１、６２  再生剤タンク
７、７１、７２  再生剤供給ライン
８、８１、８２  再生剤戻りライン
９      制御装置
７３    再生剤供給管
７４    攪拌手段
７４ａ  軸
７４ｂ  回転翼
７５    溶質投入手段
７５ａ  溶質投入口
７５ｂ  投入量制御装置
７６    濃度測定センサー
【図１】
2005230619.tif 000003
【図２】
2005230619.tif 000004
【図３】
2005230619.tif 000005
【図４】
2005230619.tif 000006
【図５】
2005230619.tif 000007